(57)【要約】本発明のスパウトアセンブリは、容器接着部に結合されるスパウト接着部、前記スパウト接着部に設けて上向延長する排出部、前記排出部に連結部によって連結されて排出部を密封する栓、および前記栓の開封の後、前記排出部を通じる内容物の流れを妨害しない位置に栓を維持する栓位置維持手段を含む。
2005516850.tif 000002
【特許請求の範囲】
【請求項１】
容器接着部に結合されるスパウト接着部；
前記スパウト接着部に設けて上向延長する排出部；
前記排出部に連結部によって連結されて排出部を密封する栓；および
前記栓の開封の後、前記排出部を通じる内容物の流れを妨害しない位置に栓を維持する栓位置維持手段を含むスパウトアセンブリ。
【請求項２】
前記栓は、栓と排出部の間の截取部により排出部と一体に設けられる請求項１記載のスパウトアセンブリ。
【請求項３】
前記栓位置維持手段は、排出部の外周に設けられる係合部材と、連結部の一端に設けられて連結部を一定角度に回転させる場合、前記係合部材に掛かることによって、前記栓を一定の位置に維持する固定突起を含む請求項１記載のスパウトアセンブリ。
【請求項４】
前記係合部材は、排出部の外周に設けられて連結部の一端を旋回自在に支持する第一支持部と固定突起を支持する第二支持部を含む請求項３記載のスパウトアセンブリ。
【請求項５】
前記第二支持部は、第一支持部から上向きに突出する請求項４記載のスパウトアセンブリ。
【請求項６】
前記第二支持部は、排出部の周囲に設けられる環縁からなる請求項４記載のスパウトアセンブリ。
【請求項７】
前記栓位置維持手段は、排出部に設けられて連結部の一端を旋回自在に支持する支持部と、前記支持部から突出形成される固定突起と、前記連結部に設けられて固定突起が挿入固定される結合口とを含む請求項１記載のスパウトアセンブリ。
【請求項８】
前記栓位置維持手段は、連結部の一端を旋回自在に支持する支持部と、前記支持部に設けられる結合口と、前記連結部に設けられて前記結合口に挿入固定される固定突起とを含む請求項１記載のスパウトアセンブリ。
【請求項９】
前記栓位置維持手段は、排出部に設けられた結合支持部と、連結部に設けられ、前記結合支持部に固定される固定部を含む請求項１記載のスパウトアセンブリ。
【請求項１０】
前記結合支持部には結合溝が設けられて、前記固定部には前記結合溝に挿入される固定突起が設けられてなる請求項９記載のスパウトアセンブリ。
【請求項１１】
前記結合支持部には結合突起が設けられて、前記固定部には前記結合突起が挿入される固定溝が設けられてなる請求項９記載のスパウトアセンブリ。
【請求項１２】
前記栓位置維持手段は、互いにかみ合われる第一および第二結合部を含み、前記第一および第二結合部は、それらの間の連結部に設けたピボット連結部を隔てて連結部に設けられてなる請求項１記載のスパウトアセンブリ。
【請求項１３】
前記第一結合部は固定突起からなり、前記第二結合部は前記固定突起が挿入される結合溝からなる請求項１２記載のスパウトアセンブリ。
【請求項１４】
前記第一結合部は掛り突起からなり、前記第二結合部部は前記掛り突起が掛かることにより固定される固定突起からなる請求項１２記載のスパウトアセンブリ。
【請求項１５】
前記栓位置維持手段は、栓の上部に設けられる固定突起と連結部に設けられる結合溝とを含む請求項１記載のスパウトアセンブリ。
【請求項１６】
前記スパウト接着部が結合される容器は、パウチ容器、ペット容器、金属容器、ガラス容器、コットンパックとからなる群から選択される請求項１記載のスパウトアセンブリ。
【請求項１７】
前記スパウト接着部は、スパウト容器に付着される接着部と、および前記接着部が容器接着部に容易に位置できるように前記接着部の下に設けられた挿入案内部とを含む請求項１記載のスパウトアセンブリ。
【請求項１８】
前記挿入案内部は、下方に向かうにつれ、その幅が狭くなる請求項１７記載のスパウトアセンブリ。
【請求項１９】
前記挿入案内部は、主接着部の両端をパウチ容器のフィルムの間に画定されるパウチ接着部に位置させる第一位置案内部と、および前記主接着部の前後面をパウチ接着部に位置させる第二位置案内部を含む請求項１７記載のスパウトアセンブリ。
【請求項２０】
前記第一位置案内部は、下方に向かうにつれ、その幅が狭くなり、前記第二位置案内部は、一定の傾きで下方を向くリーブからなる請求項１９記載のスパウトアセンブリ。
【請求項２１】
前記栓は、特定のキャラクタに形成される請求項１記載のスパウトアセンブリ。
【請求項２２】
容器接着部に結合されるスパウト接着部；
前記スパウト接着部に設けられ上向きに延びる排出部；および
前記排出部に連結部によって連結されて排出部を密封する栓を含み、
前記スパウト接着部は、容器接着部に容易に位置されるために、接着部の下部に設けられた挿入案内部を含むスパウトアセンブリ。
【請求項２３】
前記挿入案内部は、下方に向かうにつれ、その幅が狭くなる請求項２２記載のスパウトアセンブリ。
【請求項２４】
前記挿入案内部は、主接着部の両端をパウチ容器のフィルムの間に画定されるパウチ接着部に位置させる第一位置案内部と、および前記主接着部の前後面をパウチ接着部に位置させる第二位置案内部を含む請求項２２記載のスパウトアセンブリ。
【請求項２５】
前記第一位置案内部は、下方に向かうにつれ、その幅が狭くなり、前記第二位置案内部は、一定の傾きで下方を向くリーブからなる請求項２２記載のスパウトアセンブリ。
【発明の詳細な説明】
【技術分野】
【０００１】
本発明はスパウトアセンブリに関する。より詳しくは、開封時に排出部で排出される内容物の流れを妨害しない位置に固定できる栓を有するスパウトアセンブリに関する。
【０００２】
本発明は、またパウチ接着部に容易に位置できる構造を有するスパウトアセンブリに関する。
【背景技術】
【０００３】
一般に内容物を少しずつ数回以上排出するために用いる容器のスパウトアセンブリは、スパウトアセンブリの主胴体と一体に形成されている栓を有する構造を有している。主胴体から栓を開封すると、栓は主胴体から除去されず、連結されている。
【０００４】
しかし、通常に前記栓は薄いストリップ部材によって主胴体に連結されているので、栓を開けて内容物を注ごうとする場合、栓がスパウトアセンブリの出口側に位置して内容物の排出を妨害する。
【０００５】
また、従来のパウチ容器用スパウトアセンブリにおいて、接着部はパウチ容器のフィルムの間に接着される。しかし、スパウト接着部がパウチ容器のフィルムの間に画定されるパウチ接着部に位置する場合には、スパウト接着部とフィルムの干渉によってパウチフィルムが損傷される虞れがある。また、案内手段がないので、スパウト接着部をパウチ接着部に位置させることが容易ではなくて作業性が低下する欠点がある。
【発明の開示】
【０００６】
従って、本発明は前記のような従来技術の問題点を解消するためのものである。
【０００７】
本発明の第一の目的は、開封時に排出部で排出される内容物の流れを妨害しない位置に固定できる栓を有するスパウトアセンブリを提供する。
【０００８】
本発明の第二の目的は、スパウトアセンブリをパウチ容器に適用する場合、スパウト接着部がパウチ容器のフィルムの間に定義されるパウチ接着部に位置する場合の過程で、パウチフィルムが損傷されなくて、作業性を向上できるスパウトアセンブリを提供する。
【０００９】
前記目的を達成するために、本発明は、スパウトアセンブリを提供する。
【発明を実施するための最良の形態】
【００１０】
以下、添付した図面を参照しつつ本発明の好ましい実施の形態により説明する。
【００１１】
図１および図２は本発明の第１実施の形態に従うスパウトアセンブリを示している。図示したとおり、この実施の形態の本発明のスパウトアセンブリ１は、流体通路１１とその出口端の内壁から突出して下方に延びて設けられている弾性突起１２を備える排出部１０と、前記排出部の出口端に截取部２２によって一体に連結されており、円筒形密閉部２１を有する栓２０を含む。前記円筒形密閉部２１の外周には掛り突起２３と密閉突起２４が設けられている。
【００１２】
また、前記排出部１０の下部には、容器接着部に接着されるスパウト接着部４０が一体的に設けられている。この実施の形態で前記スパウト接着部４０はパウチ容器用で有る。すなわち、前記スパウト接着部４０は、主接着部４１と、前記主接着部４１の両端をパウチ容器のフィルムの間に画定されるパウチ接着部に位置させるための第一位置案内部４２Ａと、前記主接着部４１の前後面をパウチ接着部に位置させるための第二位置案内部４２Ｂとからなる。これに対しては次により詳しく説明する。
【００１３】
また、前記栓２０は柔軟なストリップ形状の連結部３５によって排出部１０と一体に連結される。前記排出部１０から截取部２２に従って栓２０を分離した後、排出部１０を通じて容器の内容物を排出するとき、栓２０が排出部１０の出口端の前面に続いて位置づけられて容器から排出される内容物の流れを妨害して使用者の不便をきたす。
【００１４】
これを解決するために、本発明は、排出部を通じて容器から排出される内容物の流れを妨害しない角度に栓２０を位置できる栓位置維持手段３０を提供する。
【００１５】
この実施の形態で、前記栓位置維持手段３０は、前記排出部の外壁から突出してその上端に前記連結部３５の一端が連結される支持部３１と、前記支持部３１の上端から下向延長する固定突起３３と、前記支持部の底から上向きに延長される支持突片３２とからなる。
【００１６】
前記栓２０は、密閉突起の外径が排出部１０の出口端に設けられた弾性突起１２の内径より大きくすると密閉性が向上するので、望ましい。
【００１７】
また、図２に示したように、密閉部２１の外径ａは、弾性突起１２の内径ｂより大きくすると、截取部２２の破壊後、栓２０を用いて排出部１０の開口を再密閉するときに、密閉部２１が排出部１０の弾性突起１２に容易に挿入できるようになる。
【００１８】
以下、本発明の作動効果を添付した図を参照して説明する。まず、栓２０とこれと結合される排出部１０の機能に対して説明する。
【００１９】
図２の状態で、栓２０を任意の一方の側に折ったり、ねじったりすると、薄く成型された截取部２２が破壊されて排出部１０から栓２０が離脱する。このとき、栓２０は連結部２５によって排出部１０に連結された状態を維持する。
【００２０】
このような状態で、栓２０を連結部３５に向けて引くと、固定突起３３が連結部３５によって回転しながら上向きにされ、突片３２を押しながら弾力的に越えて、突片３２の上端にかみ合う（図３参照）。
【００２１】
スパウトアセンブリ１が容器に組み立てられた後、前記図３のような状態で容器を一方の側に傾けると、流体通路１１を通じて容器内の内容物が排出される。このとき、栓２０が排出部１０の出口から離れた位置に維持されるので、栓２０は排出部１０を通じて内容物が容器外に排出される流れを妨害しない。
【００２２】
そして、内容物の排出が終わる後、栓を上方に引くと、突片３２の上端にかみ合っている固定突起３３が元の位置に戻る。次に、密閉部２１を排出部１０に挿入する。そのとき、密閉部２１の外径が弾性突起１２の内径より小さいので、密閉部２１は排出部１０に容易に挿入される。
【００２３】
しかし、挿入過程において、掛り突起２３が弾性突起１２に至ると、密閉部２１はもうこれ以上挿入されない。このような状態で、栓２０のみに力を付加すると、固定突起３３の端部が突片３２を越えて突片３２にかみ合う。
【００２４】
上記の作動は数回反復されてもその機能を持続的に維持する。すなわち、栓２０を排出部１０に再密閉するときにも、弾性突起１２の下部が環形の区間に構成されているので、前記弾性突起１２は栓２０の密閉突起２４に弾力的に密閉性を提供する。
【００２５】
図５に示したとおり、容器の挿入溝Ｃ１にスパウトアセンブリのスパウト接着部４０を位置させる過程で、前記スパウト接着部４０が容器挿入溝Ｃ１の正確な位置から偏向された状態に挿入されても、前記第一および第二位置案内部４２Ａと４２Ｂによってスパウト接着部４０が容易に容器挿入溝Ｃ１挿入されうる。
【００２６】
前記第二位置案内部４２Ｂは、スパウト接着部４０の底から一定の傾き角度で下向延長する多数のリーブにからなる。これは材料を節約する利点がある。すなわち、第二位置案内部４２Ｂの全体的な形状を楕円錐形状にすると、より多くの材料が使用される。
【００２７】
図７および図８は本発明の第２実施の形態を示している。固定突起３３が排出部１０の外周に設けられた環縁３６に掛かるように設けることを除外すると、前記第１実施の形態と同一である。
【００２８】
図９の第３実施の形態では、排出部１０の外周が固定突起３３を越えて固定されるように構成した。
【００２９】
図１０の第４実施の形態では、固定突起１０３３の自由端にフックが設けられて、排出部１０の外周に設けられた掛け突起１０３７にかみ合う。使用時には、前記フックが掛け突起１０３７に掛って固定される。
【００３０】
図１１の第５実施の形態に従うと、排出部１０の外周に突片１１３２を形成でき、固定突起３３は突片１１３２越えることによって弾力的に固定されることができる。
【００３１】
図１２の第６実施の形態に従うと、固定突起１２３３が支持部１２３１の上向に突出し、その固定突起１２３３に差し込まれて固定される結合口１２３７が設けられた。前記固定突起１２３３の結合口１２３７への挿入状態は一定の力によって解除される。
【００３２】
図１３の第７実施の形態に従うと、支持部１３３１に結合溝１３３８を設け、前記結合溝１３３８に挿入される固定突起１３３３が連結部３５に設けている。
【００３３】
図１４の第８実施の形態に従うと、支持部１４３１に結合溝１４３８を設け、前記結合溝１４３８に挿入されて固定される固定突起１４３３が排出部１０に連結部１４３４により連結された連結部３５に設けている。
【００３４】
図１５の第９実施の形態に従うと、支持部１５３１の上端に掛け突起１５３１’を設け、固定突起１５３３が排出部１０に連結部１５３４により連結された連結部３５に設けられている。
【００３５】
図１６の第１０実施の形態に従うと、支持部１６３１に固定突起１６３３を設け、その固定突起１６３３に挿入されて固定される結合口１６３７が連結部３５に設けている。前記連結部３５は排出部１０に連結部１６３４により連結される。使用時には、結合口１６３７が固定突起１６３３に掛って固定される。
【００３６】
図１７の第１１実施の形態に従うと、支持部１７３１は段差をもつように構成され、その端差に連結部３５に設けた固定突起１７３３が掛って固定される。前記支持部１７３１は排出部１０に連結部１７３４により連結される。
【００３７】
図１８の第１２実施の形態に従うと、支持部１８３１の段差をもつように構成され、その端差に連結部３５に設けた固定突起１８３３が掛って固定される。前記支持部１８３１は排出部１０に連結部１８３４により連結される。
【００３８】
図１９の第１３実施の形態に従うと、栓位置維持手段３０は、栓２０と排出部１０を連結させる連結部３５に形成されることができる。薄板部１９３４が連結部３５に設けている。固定突起１９３３および結合口１９３７が各々連結部３５の薄板部１９３４の両側に設けている。使用時には、固定突起１９３３が結合口１９３７に挿入されて固定される。
【００３９】
図２０の第１４実施の形態に従うと、連結部３５の折って綴ることができる薄板部２０３４の両側に二つの連動突起２０３３および２０３９を設けている。使用時には、連動突起２０３３
および２０３９が互いに挿入されて固定される。（図２１は第１５実施の形態を示していて、突起の方向性だけ異なる）。
【００４０】
図２２の第１６実施の形態に従うと、固定突起２２３３は栓２０の上部に設ける、結合口２２３７は連結部３５に設けている。折って綴ることができる薄板部２２００が固定突起２２３３と結合口２２３７の間の連結部３５に設けている。
【００４１】
図２３の第１７実施の形態に従うと、排出部１０から栓２０を截取する過程で連結部３５が自由に動くことができるように、方向転換部２３００が連結部３５に設けている。
【００４２】
図２４の第１８実施の形態に従うと、空間２４４３が位置案内部２４４２に主接着部４１の下部に設けている。
【００４３】
図２５の第１９実施の形態に従うと、スパウト接着部４０は主接着部４１が備えて、スパウトアセンブリが多様な形態に容器に結合できる。
【００４４】
図２６の第２０実施の形態に従うと、スパウト接着部４０は、容器の表面に結合される。すなわち、前記スパウト接着部４０は輪縁型接着面２６４１が設けられる。
【００４５】
図２７の第２１実施の形態に従うと、スパウト接着部４０は、容器の首にスクリュー方式で結合できるようにねじ山２７００が備えられた蓋形態で形成されている。
【００４６】
図２８の第２２実施の形態に従うと、スパウト接着部４０は、容器の首にワンタッチ方式で結合されるように掛り突起２８００が備えられた蓋形態で形成されている。
【００４７】
図２９の第２３実施の形態に従うと、スパウト接着部４０は、容器の首に弾力的に挿入できるように掛り突起２９００と２９０１が備えられた蓋形態で形成されている。
【００４８】
図３０の第２４実施の形態に従うと、スパウト接着部４０は容器胴体Ｃに一体に設けられたものである。
【００４９】
図３１の第２５実施の形態に従うと、栓２０を排出部１０から截取し、また栓２０を排出部１０に再密閉することにさらなる便利さを与えるために、栓２０の上端は水道栓の形態にされたものである。
【００５０】
図３２および図３３の第２６実施の形態に従うと、栓２０はその中央に空間３２００が設けられている。
【００５１】
図３４および図３５の第２７実施の形態に従うと、排出部１０から栓２０を容易に分離するために、栓２０と排出部１０の間に截取線３４０１に区画されたスカートハンドル３４０２がある偽造防止スカート３４００が設けている。図３５に示たように、偽造防止スカート３４００に密閉された合わせ突起ｄが栓２０に設けられている。従って、偽造防止スカート３４００を除去しない限り、栓２０を開封できない。
【００５２】
また、図３６に示したように、ハンドル３６０２がある偽造防止スカート３６００は、排出部１０と栓２０の間に截取線３６０１に区画して設けることができる。
【００５３】
望ましくは、偽造防止スカート３６００は、弾性突起１２と密閉部２１の外周に一体に設けられている。
【００５４】
また、弾性突起１２と密閉部２１に截取線３６０１が設けられて、偽造防止スカート３６００は容易に除去できる。前記スカート３６００が除去されると、図３７に示すように、弾性突起１２と密閉部２１の間の間隙ｅを維持するのが良い。
【００５５】
図３８の第２９実施の形態に従うと、穿孔片１４が排出部１０の下端に設けられている。このために、穿孔片１４とスパウト接着部４０の間に空間１５か提供され、穿孔片１４は空間１５の上端で前記スパウト接着部４０に連結部１３によって連結される。
【００５６】
望ましくは、前記穿孔片１４と空間１５を密閉させるために、アルミニウム板を前記スパウト接着部４０の底部に接着させることができる。
【００５７】
前記穿孔片１４は作動部１６が構成されて、連結部１３が破壊されながら、穿孔片１４が一定の力により下向される。前記作動部１６はスパウト接着部４０の段差に掛って固定される環突起１７を設けて、下向された後に穿孔片１４の動きを防止する。また、前記穿孔片１４は少なくとも一つ以上の流出孔１８を設けている。
【００５８】
図３９に示したように、その使用時には、排出部１０を一定の力により下圧すると、連結部１３が破壊されながら作動部１６が下向きにされる。前記穿孔片１４の下向動きは排出部１０と作動部１６のあいだに設けられた停止器により停止する。
【００５９】
図４０の第３０実施の形態に従うと、栓２０００はキャラクタのような特定な形状に形成されて、製品の性格を示し、または審美感を改善することができる。
【産業上の利用可能性】
【００６０】
前記のように、本発明のスパウトアセンブリは、容器により易しく精密に挿入できるし、作業性を向上できる。また、スパウトアセンブリは、開封の後、内容物の流れを妨害しない位置に維持できる栓位置維持手段をもつように構成されて、使用者は内容物を容易に排出することができる。
【図面の簡単な説明】
【００６１】
【図１】本発明の第１実施の形態に従うスパウトアセンブリを示す斜視図である。
【図２】図１のＸ−Ｘ線断面図である。
【図３】本発明の第１実施の形態に従うスパウトアセンブリの使用状態を現す図面である。
【図４】本発明の第１実施の形態に従うスパウトアセンブリの使用状態を現す図面である。
【図５】本発明の第１実施の形態に従うスパウトアセンブリがパウチ容器に適用される例を現す図面である。
【図６】本発明の第１実施の形態に従うスパウトアセンブリがパウチ容器に適用される例を現す図面である。
【図７】本発明の第２実施の形態に従うスパウトアセンブリを示す正面図である。
【図８】本発明の第２実施の形態に従うスパウトアセンブリを示す正面図である。
【図９】本発明の第３実施の形態に従うスパウトアセンブリを示す正面図である。
【図１０】本発明の第４実施の形態に従うスパウトアセンブリを示す正面図である。
【図１１】本発明の第５実施の形態に従うスパウトアセンブリを示す正面図である。
【図１２】本発明の第６実施の形態に従うスパウトアセンブリを示す正面図である。
【図１３】本発明の第７実施の形態に従うスパウトアセンブリを示す正面図である。
【図１４】本発明の第８実施の形態に従うスパウトアセンブリを示す正面図である。
【図１５】本発明の第９実施の形態に従うスパウトアセンブリを示す正面図である。
【図１６】本発明の第１０実施の形態に従うスパウトアセンブリを示す正面図である。
【図１７】本発明の第１１実施の形態に従うスパウトアセンブリを示す正面図である。
【図１８】本発明の第１２実施の形態に従うスパウトアセンブリを示す正面図である。
【図１９】本発明の第１３実施の形態に従うスパウトアセンブリを示す正面図である。
【図２０】本発明の第１４実施の形態に従うスパウトアセンブリを示す正面図である。
【図２１】本発明の第１５実施の形態に従うスパウトアセンブリを示す正面図である。
【図２２】本発明の第１６実施の形態に従うスパウトアセンブリを示す正面図である。
【図２３】本発明の第１７実施の形態に従うスパウトアセンブリを示す正面図である。
【図２４】本発明の第１８実施の形態に従うスパウトアセンブリを示す正面図である。
【図２５】本発明の第１９実施の形態に従うスパウトアセンブリを示す正面図である。
【図２６】本発明の第２０実施の形態に従うスパウトアセンブリを示す正面図である。
【図２７】本発明の第２１実施の形態に従うスパウトアセンブリを示す正面図である。
【図２８】本発明の第２２実施の形態に従うスパウトアセンブリを示す正面図である。
【図２９】本発明の第２３実施の形態に従うスパウトアセンブリを示す正面図である。
【図３０】本発明の第２４実施の形態に従うスパウトアセンブリを示す正面図である。
【図３１】本発明の第２５実施の形態に従うスパウトアセンブリを示す正面図である。
【図３２】本発明の第２６実施の形態に従うスパウトアセンブリを示す正面図である。
【図３３】本発明の第２６実施の形態に従うスパウトアセンブリを示す正面図である。
【図３４】本発明の第２７実施の形態に従うスパウトアセンブリを示す正面図である。
【図３５】本発明の第２７実施の形態に従うスパウトアセンブリを示す正面図である。
【図３６】本発明の第２８実施の形態に従うスパウトアセンブリを示す正面図である。
【図３７】本発明の第２８実施の形態に従うスパウトアセンブリを示す正面図である。
【図３８】本発明の第２９実施の形態に従うスパウトアセンブリを示す正面図である。
【図３９】本発明の第２９実施の形態に従うスパウトアセンブリを示す正面図である。
【図４０】本発明の第３０実施の形態に従うスパウトアセンブリを示す正面図である。
【図１】
2005516850.tif 000003
【図２】
2005516850.tif 000004
【図３】
2005516850.tif 000005
【図４】
2005516850.tif 000006
【図５】
2005516850.tif 000007
【図６】
2005516850.tif 000008
【図７】
2005516850.tif 000009
【図８】
2005516850.tif 000010
【図９】
2005516850.tif 000011
【図１０】
2005516850.tif 000012
【図１１】
2005516850.tif 000013
【図１２】
2005516850.tif 000014
【図１３】
2005516850.tif 000015
【図１４】
2005516850.tif 000016
【図１５】
2005516850.tif 000017
【図１６】
2005516850.tif 000018
【図１７】
2005516850.tif 000019
【図１８】
2005516850.tif 000020
【図１９】
2005516850.tif 000021
【図２０】
2005516850.tif 000022
【図２１】
2005516850.tif 000023
【図２２】
2005516850.tif 000024
【図２３】
2005516850.tif 000025
【図２４】
2005516850.tif 000026
【図２５】
2005516850.tif 000027
【図２６】
2005516850.tif 000028
【図２７】
2005516850.tif 000029
【図２８】
2005516850.tif 000030
【図２９】
2005516850.tif 000031
【図３０】
2005516850.tif 000032
【図３１】
2005516850.tif 000033
【図３２】
2005516850.tif 000034
【図３３】
2005516850.tif 000035
【図３４】
2005516850.tif 000036
【図３５】
2005516850.tif 000037
【図３６】
2005516850.tif 000038
【図３７】
2005516850.tif 000039
【図３８】
2005516850.tif 000040
【図３９】
2005516850.tif 000041
【図４０】
2005516850.tif 000042